【手続補正書】
【提出日】平成25年10月1日(2013.10.1)
【手続補正１】
【補正対象書類名】特許請求の範囲
【補正対象項目名】全文
【補正方法】変更
【補正の内容】
【特許請求の範囲】
【請求項１】
印字部材に印字をおこなう印字装置であって、
前記印字部材に対応した印字可能領域を設定する印字可能領域設定手段と、
文字列を表示する表示手段と、
前記表示手段に表示された前記文字列から強調文字列を指定する範囲指定手段と、
強調処理を開始させる強調開始手段と、
前記範囲指定手段で指定された前記強調文字列の文字サイズが、前記印字可能領域設定手段により設定された前記印字可能領域に対応する最大文字サイズか否かを判別するサイズ判定手段と、
前記強調開始手段の実行により前記強調文字列が前記サイズ判定手段において前記最大文字サイズではないと判断した場合には、前記範囲指定手段により指定された前記強調文字列の文字サイズを１段階大きくし、前記サイズ判定手段において前記最大文字サイズであると判断した場合には、前記範囲指定手段により指定された前記強調文字列以外の文字列の文字サイズを１段階小さくする文字サイズ変更手段と、
を備える、
ことを特徴とする印字装置。
【請求項２】
前記強調開始手段は、前記強調処理を繰り返し行うことを可能としていることを特徴とする請求項１に記載の印字装置。
【請求項３】
前記文字サイズ変更手段は、前記範囲指定手段により指定された前記強調文字列にボールド処理を施すことを特徴とする請求項１又は請求項２に記載の印字装置。
【請求項４】
前記文字サイズ変更手段は、前記範囲指定手段により指定された前記強調文字列に文字飾りを施すことを特徴とする請求項１乃至請求項３の何れかに記載の印字装置。
【請求項５】
前記文字サイズ変更手段は、前記範囲指定手段により指定された前記強調文字列以外の文字列の文字サイズが、予め設定された最小サイズ限度に達した場合に前記強調処理を終了することを特徴とする請求項１乃至請求項４の何れかに記載の記録装置。
【請求項６】
前記印字部材は、ラベルを印刷するテープ状の印字テープであることを特徴とする請求項１乃至請求項５の何れかに記載の記録装置。
【請求項７】
印字部材に印字をおこなう印字装置の印字方法であって、
前記印字部材に対応した印字可能領域を設定する印字可能領域設定処理と、
文字列を表示する表示処理と、
前記表示処理で表示された前記文字列から強調文字列を指定する範囲指定処理と、
強調処理を開始させる強調開始処理と、
前記範囲指定処理で指定された前記強調文字列の文字サイズが、前記印字可能領域設定処理により設定された前記印字可能領域に対応する最大文字サイズか否かを判別するサイズ判定処理と、
前記強調開始処理の実行により前記強調文字列が前記サイズ判定処理において前記最大文字サイズではないと判断した場合には、前記範囲指定処理により指定された前記強調文字列の文字サイズを１段階大きくし、前記サイズ判定処理において前記最大文字サイズであると判断した場合には、前記範囲指定処理により指定された前記強調文字列以外の文字列の文字サイズを１段階小さくする文字サイズ変更処理と、
を実行する、
ことを特徴とする印字方法。
【請求項８】
前記強調開始処理は、前記強調処理を繰り返し行うことが可能な処理を実行することを特徴とする請求項７に記載の印字方法。
【請求項９】
前記文字サイズ変更処理は、前記範囲指定処理により指定された前記強調文字列にボールド処理を実行することを特徴とする請求項７又は請求項８に記載の印字方法。
【請求項１０】
前記文字サイズ変更処理は、前記範囲指定処理により指定された前記強調文字列に文字飾りを施す処理を実行することを特徴とする請求項７乃至請求項９の何れかに記載の印字方法。
【請求項１１】
前記文字サイズ変更処理は、前記範囲指定処理により指定された前記強調文字列以外の文字列の文字サイズが、予め設定された最小サイズ限度に達した場合に前記強調処理を終了することを特徴とする請求項７乃至請求項１０の何れかに記載の印字方法。
【請求項１２】
前記印字部材は、ラベルを印刷するテープ状の印字テープであることを特徴とする請求項７乃至請求項１１の何れかに記載の印字方法。
【請求項１３】
印字部材に印字をおこなう印字装置の印字方法を実現するための印字制御プログラムであって、
前記印字部材に対応した印字可能領域を設定する印字可能領域設定処理と、
文字列を表示する表示処理と、
前記表示処理で表示された前記文字列から強調文字列を指定する範囲指定処理と、
強調処理を開始させる強調開始処理と、
前記範囲指定処理で指定された前記強調文字列の文字サイズが、前記印字可能領域設定処理により設定された前記印字可能領域に対応する最大文字サイズか否かを判別するサイズ判定処理と、
前記強調開始処理の実行により前記強調文字列が前記サイズ判定処理において前記最大文字サイズではないと判断した場合には、前記範囲指定処理により指定された前記強調文字列の文字サイズを１段階大きくし、前記サイズ判定処理において前記最大文字サイズであると判断した場合には、前記範囲指定処理により指定された前記強調文字列以外の文字列の文字サイズを１段階小さくする文字サイズ変更処理と、
をコンピュータに実行させる、
ことを特徴とする印字装置の印字制御プログラム。
【請求項１４】
前記強調開始処理は、前記強調処理を繰り返し行うことが可能な処理をコンピュータに実行させることを特徴とする請求項１３に記載の印字装置の印字制御プログラム。
【請求項１５】
前記文字サイズ変更処理は、前記範囲指定処理により指定された前記強調文字列にボールド処理をコンピュータに実行させることを特徴とする請求項１３又は請求項１４に記載の印字装置の印字制御プログラム。
【請求項１６】
前記文字サイズ変更処理は、前記範囲指定処理により指定された前記強調文字列に文字飾りを施す処理をコンピュータに実行させることを特徴とする請求項１３乃至請求項１５の何れかに記載の印字装置の印字制御プログラム。
【請求項１７】
前記文字サイズ変更処理は、前記範囲指定処理により指定された前記強調文字列以外の文字列の文字サイズが、予め設定された最小サイズ限度に達した場合に前記強調処理を終了する処理をコンピュータに実行させることを特徴とする請求項１３乃至請求項１６の何れかに記載の印字装置の印字制御プログラム。
【請求項１８】
前記印字部材は、ラベルを印刷するテープ状の印字テープであることを特徴とする請求項１３乃至請求項１７の何れかに記載の印字装置の印字制御プログラム。
【手続補正２】
【補正対象書類名】明細書
【補正対象項目名】０００１
【補正方法】変更
【補正の内容】
【０００１】
本発明は、視認性を高めたラベルを作成する印字装置と、該印字装置において視認性を高めたラベルを作成させる印字方法と、この印字装置に視認性を高めたラベルを作成させる印字方法を実現させるための印字制御プログラムと、に関する。
【手続補正３】
【補正対象書類名】明細書
【補正対象項目名】０００７
【補正方法】変更
【補正の内容】
【０００７】
前記目的を果たすため、本発明の印字装置の一態様は、印字部材に印字をおこなう印字装置であって、前記印字部材に対応した印字可能領域を設定する印字可能領域設定手段と、文字列を表示する表示手段と、前記表示手段に表示された前記文字列から強調文字列を指定する範囲指定手段と、強調処理を開始させる強調開始手段と、前記範囲指定手段で指定された前記強調文字列の文字サイズが、前記印字可能領域設定手段により設定された前記印字可能領域に対応する最大文字サイズか否かを判別するサイズ判定手段と、前記強調開始手段の実行により前記強調文字列が前記サイズ判定手段において前記最大文字サイズではないと判断した場合には、前記範囲指定手段により指定された前記強調文字列の文字サイズを１段階大きくし、前記サイズ判定手段において前記最大文字サイズであると判断した場合には、前記範囲指定手段により指定された前記強調文字列以外の文字列の文字サイズを１段階小さくする文字サイズ変更手段と、を備える、ことを特徴とする。
【手続補正４】
【補正対象書類名】明細書
【補正対象項目名】０００８
【補正方法】変更
【補正の内容】
【０００８】
前記目的を果たすため、本発明の印字方法の一態様は、印字部材に印字をおこなう印字装置の印字方法であって、前記印字部材に対応した印字可能領域を設定する印字可能領域設定処理と、文字列を表示する表示処理と、前記表示処理で表示された前記文字列から強調文字列を指定する範囲指定処理と、強調処理を開始させる強調開始処理と、前記範囲指定処理で指定された前記強調文字列の文字サイズが、前記印字可能領域設定処理により設定された前記印字可能領域に対応する最大文字サイズか否かを判別するサイズ判定処理と、前記強調開始処理の実行により前記強調文字列が前記サイズ判定処理において前記最大文字サイズではないと判断した場合には、前記範囲指定処理により指定された前記強調文字列の文字サイズを１段階大きくし、前記サイズ判定処理において前記最大文字サイズであると判断した場合には、前記範囲指定処理により指定された前記強調文字列以外の文字列の文字サイズを１段階小さくする文字サイズ変更処理と、を実行する、ことを特徴とする。
【手続補正５】
【補正対象書類名】明細書
【補正対象項目名】０００９
【補正方法】変更
【補正の内容】
【０００９】
前記目的を果たすため、本発明の印字制御プログラムの一態様は、印字部材に印字をおこなう印字装置の印字方法を実現するための印字制御プログラムであって、前記印字部材に対応した印字可能領域を設定する印字可能領域設定処理と、文字列を表示する表示処理と、前記表示処理で表示された前記文字列から強調文字列を指定する範囲指定処理と、強調処理を開始させる強調開始処理と、前記範囲指定処理で指定された前記強調文字列の文字サイズが、前記印字可能領域設定処理により設定された前記印字可能領域に対応する最大文字サイズか否かを判別するサイズ判定処理と、前記強調開始処理の実行により前記強調文字列が前記サイズ判定処理において前記最大文字サイズではないと判断した場合には、前記範囲指定処理により指定された前記強調文字列の文字サイズを１段階大きくし、前記サイズ判定処理において前記最大文字サイズであると判断した場合には、前記範囲指定処理により指定された前記強調文字列以外の文字列の文字サイズを１段階小さくする文字サイズ変更処理と、をコンピュータに実行させる、ことを特徴とする。
【手続補正６】
【補正対象書類名】明細書
【補正対象項目名】００１０
【補正方法】変更
【補正の内容】
【００１０】
本発明によれば、強調処理により視認性を高めたラベルを作成する印字装置と、該印字装置において強調処理により視認性を高めたラベルを作成する印字方法と、強調処理により視認性を高めたラベルを作成する印字方法を印字装置に実現させるための印字制御プログラムと、を提供することができる。
【手続補正７】
【補正対象書類名】明細書
【補正対象項目名】００１４
【補正方法】変更
【補正の内容】
【００１４】
そして、タッチパネル表示部3の表示画面には、アルファベット文字キー、数字キー、記号キー等の文字・記号入力キー（以下、これらを総じて文字キーと呼称）や、漢字への変換キー、無変換キー及び実行キー等々の制御キーを備える仮想のキーボードを表示するキーボード領域3a及びそのキーボード領域3aから入力された文字を表示する文字編集領域3bが設けられる。キーボード領域3aは、タッチパネル入力部4の各キーを画像として表示するとともに、タッチパネル入力部4として表示画面上に表示される各キーの位置を押圧することにより、各キーの座標位置のデータを入力するようになっており、これらタッチパネル表示部3とタッチパネル入力部4とからソフトウェアキーボードを構成する。
【手続補正８】
【補正対象書類名】明細書
【補正対象項目名】００２０
【補正方法】変更
【補正の内容】
【００２０】
そして、印字装置1は、カセットケース22がカセット装填部8に装填されると、カセットケース22の被係合部29とカセット装填部8のカセット受部15に形成されたテープ幅検出スイッチ16の幾つかと或いは全部とが係合し、係合したテープ幅検出スイッチ16が押下されて、このオン状態となったテープ幅検出スイッチ16の組み合わせによって印字テープのテープ幅等の種類を判別できるようになっている。
【手続補正９】
【補正対象書類名】明細書
【補正対象項目名】００２３
【補正方法】変更
【補正の内容】
【００２３】
そして、サーマルヘッド11が印字データに基づいて発熱駆動され、インクリボン35のインクがテープ部材31の印字テープに熱転写されて印字テープに印字が行なわれ、印字が終了すると設定によりフルカット機構17又はハーフカット機構18が作動してテープ部材31が幅方向に切断され、１枚のテープ状のラベルが作成される。
【手続補正１０】
【補正対象書類名】明細書
【補正対象項目名】００３３
【補正方法】変更
【補正の内容】
【００３３】
また、本実施形態の印字装置1は、強調ラベル作成モードにおいて、入力文字列の中から強調する文字列を指定して、その強調文字列と非強調文字列との文字サイズに差異を付けることにより、視認性を高めたラベルを作成する機能を有している。
【手続補正１１】
【補正対象書類名】明細書
【補正対象項目名】００４５
【補正方法】変更
【補正の内容】
【００４５】
また、本発明においてＲＯＭ41は、装置として印字可能な最小印字文字サイズから最大印字文字サイズまでの設定可能な文字サイズを示すｐｔ（ポイント）値と文字高さを示すｍｍ値との情報が格納されている文字サイズ記憶手段とされる文字サイズ記憶領域41cを有する。
【手続補正１２】
【補正対象書類名】明細書
【補正対象項目名】００４８
【補正方法】変更
【補正の内容】
【００４８】
最大文字サイズ記憶領域41dには、図４（ｂ）に示すようにテープ幅が２４ｍｍであれば最大印字可能領域が２２ｍｍ、最大印字文字サイズ（ｐｔ）が５９ｐｔ及びデフォルトの印字文字サイズ（ｐｔ）が５１ｐｔであり、テープ幅が６ｍｍであれば最大印字可能領域が４ｍｍ、最大印字文字サイズ（ｐｔ）が１２ｐｔ及びデフォルトの印字文字サイズ（ｐｔ）が９ｐｔである等の情報が格納されている。
【手続補正１３】
【補正対象書類名】明細書
【補正対象項目名】００７９
【補正方法】変更
【補正の内容】
【００７９】
以上のように、本発明の実施形態によれば、強調処理により視認性を高めたラベルを作成する印字装置と、該印字装置において強調処理により視認性を高めたラベルを作成する印字方法と、強調処理により視認性を高めたラベルを作成する印字方法を印字装置に実現させるための印字制御プログラムと、を提供することができる。
【手続補正１４】
【補正対象書類名】明細書
【補正対象項目名】００８５
【補正方法】変更
【補正の内容】
【００８５】
以下に、本願出願の最初の特許請求の範囲に記載された発明を付記する。
［１］
印字テープに印字してラベルを作成する印字装置であって、
設定可能な文字サイズの情報が格納されている文字サイズ記憶手段と、
前記印字テープのテープ幅で印字可能な最大文字サイズが格納されている最大文字サイズ記憶手段と、
前記印字テープのテープ幅を判定するテープ幅判定手段と、
前記テープ幅内の印字可能領域を設定する印字可能領域設定手段と、
入力文字を入力する入力手段と、
入力文字サイズを設定する入力文字サイズ設定手段と、
前記入力文字を表示する表示手段と、
強調文字列を指定する範囲指定手段と、
強調処理を開始させる強調開始手段と、
前記範囲指定手段で指定された文字列の文字サイズが前記最大文字サイズか否かを判別するサイズ判定手段と、
を備え、
前記強調開始手段の実行により前記強調文字列が前記サイズ判定手段において最大文字サイズではないと判断した場合には前記範囲指定手段により指定された文字列の文字サイズを１段階大きくし、前記サイズ判定手段において最大文字サイズであると判断した場合には、前記範囲指定手段により指定された文字列以外の文字サイズを１段階小さくする文字サイズ変更手段を備えることを特徴とする印字装置。
［２］
前記強調開始手段は、強調処理を繰り返し行うことを可能としていることを特徴とする［１］に記載の印字装置。
［３］
前記文字サイズ変更手段は、前記範囲指定手段により指定された文字列にボールド処理を施すことを特徴とする［１］又は［２］に記載の印字装置。
［４］
前記文字サイズ変更手段は、前記範囲指定手段により指定された文字列に文字飾りを施すことを特徴とする［１］乃至［３］の何れかに記載の印字装置。
［５］
印字テープに印字してラベルを作成する印字装置の印字方法であって、
前記印字テープのテープ幅を判定するテープ幅判定処理と、
前記テープ幅内の印字可能領域を設定する印字可能領域設定処理と、
入力文字を入力する入力処理と、
入力文字サイズを設定する入力文字サイズ設定処理と、
前記入力文字を表示する表示処理と、
強調文字列を指定する範囲指定処理と、
強調処理を開始させる強調開始処理と、
前記範囲指定処理で指定された文字列の文字サイズが前記最大文字サイズか否かを判別するサイズ判定処理と、
を実行し、
前記強調開始処理の実行により前記強調文字列が前記サイズ判定処理において最大文字サイズではないと判断した場合には前記範囲指定処理により指定された文字列の文字サイズを１段階大きくし、前記サイズ判定処理において最大文字サイズであると判断した場合には、前記範囲指定処理により指定された文字列以外の文字サイズを１段階小さくする文字サイズ変更処理を実行することを特徴とする印字方法。
［６］
前記強調開始処理は、強調処理を繰り返し行うことが可能な処理を実行することを特徴とする［５］に記載の印字方法。
［７］
前記文字サイズ変更処理は、前記範囲指定処理により指定された文字列にボールド処理を実行することを特徴とする［５］又は［６］に記載の印字方法。
［８］
前記文字サイズ変更処理は、前記範囲指定処理により指定された文字列に文字飾りを施す処理を実行することを特徴とする［５］乃至［７］の何れかに記載の印字方法。
［９］
印字テープに印字してラベルを作成する印字装置の印字方法を実現するための印字制御プログラムであって、
前記印字テープのテープ幅を判定するテープ幅判定処理と、
前記テープ幅内の印字可能領域を設定する印字可能領域設定処理と、
入力文字を入力する入力処理と、
入力文字サイズを設定する入力文字サイズ設定処理と、
前記入力文字を表示する表示処理と、
強調文字列を指定する範囲指定処理と、
強調処理を開始させる強調開始処理と、
前記範囲指定処理で指定された文字列の文字サイズが前記最大文字サイズか否かを判別するサイズ判定処理と、
を実行させ、
前記強調開始処理の実行により前記強調文字列が前記サイズ判定処理において最大文字サイズではないと判断した場合には前記範囲指定処理により指定された文字列の文字サイズを１段階大きくし、前記サイズ判定処理において最大文字サイズであると判断した場合には、前記範囲指定処理により指定された文字列以外の文字サイズを１段階小さくする文字サイズ変更処理をコンピュータに実行させることを特徴とする印字装置の印字制御プログラム。
［１０］
前記強調開始処理は、強調処理を繰り返し行うことが可能な処理をコンピュータに実行させることを特徴とする［９］に記載の印字装置の印字制御プログラム。
［１１］
前記文字サイズ変更処理は、前記範囲指定処理により指定された文字列にボールド処理をコンピュータに実行させることを特徴とする［９］又は［１０］に記載の印字装置の印字制御プログラム。
［１２］
前記文字サイズ変更処理は、前記範囲指定処理により指定された文字列に文字飾りを施す処理をコンピュータに実行させることを特徴とする［９］乃至［１１］の何れかに記載の印字装置の印字制御プログラム。